(57)【要約】【課題】  ケース内において折り畳まれた８の字の糸が搬送中に振動を受けても移動しにくくする。【解決手段】  直方体状のケース２内でケース２の矩形壁６に接して主壁１８が位置し、ケース２内でそれの矩形壁８に接して主壁２０が位置し、主壁１８、２０の一端部間を連結体２２が連結している。主壁１８、２０から円柱状部２４、２６が突出し、これらに釣り糸３２を８の字に巻かれて折り畳まれたループ部分３２ａ、３２ｂが係合されている。主壁１８、２０の両長手縁から突出した側壁３４、３６、３８、４０に、三角柱４２、４４、４６、４８、５０、５２、５４が設けられている。
2012029138.tif 000002
【特許請求の範囲】
【請求項１】
所定の間隔を隔てて位置し互いに対向する第１及び第２の矩形壁を有し、第１及び第２の矩形壁の互いに対応する一方の長手縁が第１の側壁によって繋がれ、第１及び第２の矩形壁の互いに対応する他方の長手縁が第２の側壁によって繋がれ、第１及び第２の矩形壁の一端部が端壁によって閉じられた概略直方体状のケースと、
このケース内において第１の矩形壁に接して位置する矩形の第１の主壁と、
前記ケース内において第２の矩形壁に接して位置し、第１の主壁と同一形状の第２の主壁と、
第１及び第２の主壁の一端部間を連結している連結体と、
第１の主壁における第２の主壁に面している面から第２の主壁側に突出し、８の字に巻かれてそのループ部分を８の字の交差部分で折り畳んだ糸の一方のループ部分が引っかけられる第１の係合部と、
第２の主壁における第１の主壁に面している面から第１の主壁側に突出し、前記折り畳んだ糸の他方のループ部分が引っかけられる第２の係合部と、
第１の主壁の両長手縁から第２の主壁側に向かってそれぞれ突出した２つの第３の側壁と、
第２の主壁の両長手縁から第１の主壁側に向かってそれぞれ突出した２つの第４の側壁と、
前記２つの第３の側壁の少なくとも一方の第１の主壁側の面に、第３の側壁の長さ方向に間隔をおいて形成され、それぞれが第１の主壁側に突出し、前記一方のループ部分に接触可能な複数の第１の突部と、
前記２つの第４の側壁の少なくとも一方の第１の主壁側の面に、第４の側壁の長さ方向に間隔をおいて形成され、それぞれが第１の主壁側に突出し、前記他方のループ部分に接触可能な複数の第２の突部とを、
具備する糸収容体。
【請求項２】
請求項１記載の糸収容体において、第１及び第２の突部は、それらの先端部が鋭角をなす糸巻き。
【請求項３】
請求項１記載の糸収容体において、第１及び第２の突部のうち第１及び第２の主壁の他端部側にあるものの突出量が、第１及び第２の主壁の一端部側にあるものの突出量よりも多い糸収容体。
【請求項４】
請求項１記載の糸収容体において、前記２つの第３の側壁に第１の突部が形成され、前記２つの第４の側壁に第２の突部が形成されている糸収容体。
【請求項５】
所定の間隔を隔てて位置し互いに対向する第１及び第２の矩形壁を有し、第１及び第２の矩形壁の互いに対応する一方の長手縁が第１の側壁によって繋がれ、第１及び第２の矩形壁の互いに対応する他方の長手縁が第２の側壁によって繋がれ、第１及び第２の矩形壁の一端部が端壁によって閉じられた概略直方体状のケースと、
このケース内において第１の矩形壁に接して位置する第１の主壁と、
前記ケース内において第２の矩形壁に接して位置する第２の主壁と、
第１及び第２の主壁の一端部間を連結している連結体と、
第１の主壁における第２の主壁に面している面から第２の主壁側に突出し、８の字に巻かれてそのループ部分を８の字の交差部分で折り畳んだ糸の一方のループ部分が引っかけられる第１の係合部と、
第２の主壁における第１の主壁に面している面から第１の主壁側に突出し、前記折り畳んだ糸の他方のループ部分が引っかけられる第２の係合部と、
第１の側壁の第１の主壁側の面に、第１の側壁の長さ方向に間隔をおいて形成され、それぞれが第１の主壁側に突出し、少なくとも前記一方のループ部分に接触可能な複数の第３の突部と、
第２の側壁の第１の主壁側の面に、第２の側壁の長さ方向に間隔をおいて形成され、それぞれが第１の主壁側に突出し、少なくとも前記他方のループ部分に接触可能な複数の第４の突部とを、
具備する糸収容体。
【請求項６】
請求項５記載の糸収容体において、第１及び第２の突部は、それらの先端部が鋭角をなす糸収容体。
【請求項７】
請求項５記載の糸収容体において、第１及び第２の突部のうち第１及び第２の主壁の他端部側にあるものの突出量が、第１及び第２の主壁の一端部側にあるものの突出量よりも多い糸収容体。
【請求項８】
請求項５記載の糸収容体において、２つの第３の突部が、前記２つのループ部分にそれぞれ接触可能に第１の側壁に設けられ、２つの第４の突部が、前記２つのループ部分にそれぞれ接触可能に第２の側壁に設けられている糸収容体。
【発明の詳細な説明】
【技術分野】
【０００１】
本発明は、８の字に巻かれて、８の字の糸のループ部分が重なるように折り畳まれた糸を収容した糸収容体に関する。
【背景技術】
【０００２】
従来、８の字に巻いて折り畳んだ糸が収容された糸収容体としては、特許文献１に開示されたものがある。この糸収容体は、糸巻きとケースとからなり、糸巻きは長方形状の本体部を有し、この本体部の一方の面において、両端からそれぞれ内側に所定距離の位置に概略円柱状の第１及び第２の突出部が形成されている。第１及び第２の突出部間に糸が８の字に巻かれる。両端部がそれぞれ外側に湾曲し、内側に向かうに従って細くなる第１及び第２の片状部を本体部の内側に結合し、この結合部分を本体部の中央付近に位置させ、第１及び第２の片状部の中途を第１及び第２の突出部の突出端部に結合し、第１及び第２の主壁が互いに平行となるように折り畳むことによって、８の字に巻かれた糸を折り畳んでいる。この折り畳んだ糸巻きを概略直方体状のケースに収容している。
【先行技術文献】
【特許文献】
【０００３】
【特許文献１】特許第３８９９１１７号明細書
【発明の開示】
【発明が解決しようとする課題】
【０００４】
しかし、上記の糸巻きは、ケースに収容された状態で搬送されるが、搬送中に振動を受けると、ケース内の折り畳まれた糸がケース内で移動することがある。その場合、見栄えが悪いし、また、糸を引き出そうとしたときに、絡まりやすくなる。【０００５】
本発明は、搬送された後も、ケース内において折り畳まれた８の字の糸が移動しない糸収容体を提供することを目的とする。
【課題を解決するための手段】
【０００６】
本発明の一態様の糸収容体は、概略直方体状のケースを有している。ケースは、所定の間隔を隔てて位置し互いに対向する第１及び第２の矩形壁を備え、第１及び第２の矩形壁の互いに対応する一方の長手縁が第１の側壁によって繋がれ、第１及び第２の矩形壁の互いに対応する他方の長手縁が第２の側壁によって繋がれ、第１及び第２の矩形壁の一端部が端壁によって閉じられている。このケース内において第１の矩形壁に接して矩形の第１の主壁が位置する。前記ケース内において第２の矩形壁に接して矩形の第２の主壁が位置する。第１及び第２の主壁は、同一形状である。第１及び第２の主壁の一端部間を連結体が連結している。第１の主壁における第２の主壁に面している面から第２の主壁側に第１の係合部が突出している。第２の主壁における第１の主壁に面している面から第１の主壁側に第２の係合部が突出している。第１及び第２の係合部には、糸、例えば釣り糸を８の字に巻いて、その糸の２つのループ部分を８の字の交差部分で折り畳んだ状態で２つのループ部分が引っかけられる。第１の主壁の両長手縁から第２の主壁側に向かって２つの第３の側壁が突出している。第２の主壁の両長手縁から第１の主壁側に向かって２つの第４の側壁が突出している。少なくとも一方の第３の側壁の第１の主壁側の面に、第３の側壁の長さ方向に間隔をおいて複数の第１の突部が形成されている。これら複数の第１の突出部のそれぞれが第１の主壁側に突出し、前記一方のループ部分に接触可能である。２つの第４の側壁の少なくとも一方の第１の主壁側の面に、第４の側壁の長さ方向に間隔をおいて複数の第２の突部が形成されている。複数の第２の突出部それぞれが第１の主壁側に突出し、前記他方のループ部分に接触可能である。なお、２つの第３の側壁それぞれに第１の突部を設けることもできるし、２つの第４の側壁それぞれに第２の突部を設けることもできる。【０００７】
このように構成した糸収容体では、８の字に巻かれた糸の２つのループ部分が、第１及び第２の突部に接触して、その移動が阻止される。第１及び第２の突部が、糸巻きの第３及び第４の側壁に設けられているので、糸巻きやケース内に、移動を阻止するための部材を別途取り付ける必要がない。【０００８】
本発明の他の態様の糸収容体は、上記の態様の糸収容体における第３及び第４の側壁を除去し、ケースの第１の側壁に第３の突部を、第２の側壁に及び第４の突部を設けたものである。第３の突部は、２つのループ部分の少なくとも一方のループ部分に接触可能であり、第４の突部は、２つのループ部分の少なくとも他方のループ部分に接触可能である。なお、前記２つのループ部分にそれぞれ接触可能に第３及び第４の突部をそれぞれ２つ設けることもできる。【０００９】
このように構成した糸収容体でも、８の字に巻かれた糸の２つのループ部分が、第３及び第４の突部に接触して、その移動が阻止される。第３及び第４の突部が、糸巻きの第３及び第４の側壁に設けられているので、糸巻きやケース内に、移動を阻止するための部材を別途取り付ける必要がない。【００１０】
上記２つの態様において、第１及び第２の突部または第３及び第４の突部は、その先端が鋭角をなすものとすることができる。この場合、ループ部分に第１及び第２の突部または第３及び第４の突部が確実に接触する。【００１１】
上記２つの態様において、第１及び第２の突部または第３及び第４の突部のうち、第１及び第２の主壁の他端部側にあるものの突出量を、第１及び第２の主壁の一端部側にあるものの突出量よりも多くすることができる。このように構成すると、第１及び第２の主壁の他端部側にあるループ部分の湾曲している部分に確実に第１及び第２の突部または第３及び第４の突部を接触させることができる。
【発明の効果】
【００１２】
以上のように、本発明による糸収容体では、折り畳まれた８の字の糸が搬送中に振動を受けてもケース内で移動しにくくすることができる。
【図面の簡単な説明】
【００１３】
【図１】本発明の第１の実施形態の糸収容体の縦断正面図である。
【図２】図１の糸収容体の縦断側面図である。
【図３】図１の糸収容体で使用される糸巻きの展開状態の正面図である。
【図４】図１の糸収容体で使用される糸巻きの展開状態の側面図である。
【図５】図１の糸収容体で使用されるケースの正面図である。
【図６】図１の糸収容体で使用されるケースの縦断側面図である。
【図７】本発明の第２の実施形態の糸収容体で使用される糸巻きの展開状態の正面図である。
【図８】本発明の第２の実施形態の糸収容体で使用される糸巻きの展開状態の側面図である。
【図９】本発明の第３の実施形態の糸収容体の縦断正面図である。
【図１０】図９の糸収容体の縦断側面図である。
【図１１】図９の糸収容体で使用される糸巻きの展開状態の正面図である。
【図１２】図９の糸収容体で使用される糸巻きの展開状態の側面図である。
【図１３】本発明の第４の実施形態の糸収容体の縦断正面図である。
【図１４】図１３の糸収容体の縦断側面図である。
【発明を実施するための最良の形態】
【００１４】
本発明の第１の実施形態の糸収容体は、図１及び図２に示すように、ケース２と糸巻き４とを有している。【００１５】
ケース２は、図５及び図６に示すように、概略直方体状に形成され、間隔をおいて互いに平行に配置した第１及び第２の矩形壁６、８を有している。第１及び第２の矩形壁６、８は、同一形状の例えば長方形状に形成されている。第１及び第２の矩形壁６、８の一方の端部は、例えば長方形状の端壁１０によって閉じられている。第１及び第２の矩形壁６、８の他方の端部は開放されている。この他方の端部は、矩形壁８の他方の端部に一体に設けた蓋１２によって開閉される。なお、蓋１２には、糸の引き出し用の孔１３が形成されている。第１及び第２の矩形壁６、８の一方の長手縁間は、第１の側壁、例えば長方形状の側壁１４によって閉じられ、第１及び第２の矩形壁６、８の他方の長手縁間は、第２の側壁、例えば長方形状の側壁１６によって閉じられている。側壁１４及び１６は、同一形状である。このケース２は、透明の合成樹脂製である。【００１６】
このケース２内に糸巻き４が収容されている。糸巻き４は、図３及び図４に示すように、第１及び第２の主壁、例えば同一の長方形状の平板１８、２０が、それらの長手縁を一直線状とするように間隔をあけて配置されている。その間隔内に平板１８、２０を連結する例えば長方形状の連結体２２が設けられている。平板１８、２０の一方の面から、平板１８、２０に対してほぼ直角に、第１及び第２の係合部、例えば円柱状部２４、２６が、突出している。円柱状部２４、２６の先端部には、平板１８、２０の外方端部側に突出するように舌片２８、３０が形成されている。【００１７】
これら円柱状部２４、２６間に、糸、例えば釣り糸３２が、８の字状に巻かれている。図３には、図が錯綜するので、一重にのみ糸３２を巻いた状態を示している。符号３２ａで示すのが、８の字に巻かれたことによって構成された一方のループ部分であり、符号３２ｂで示すのが、他方のループ部分である。実際には何重に釣り糸３２は巻かれる。何重にも巻いた場合、ループ部分３２ａ、３２ｂは、それぞれ太くなり、その外側部分は、平板１８、２０の両長手縁の近傍に位置する。図３に符号３２ｃで示すのが釣り糸３２の一端で、平板２２に固定されている。符号３２ｄで示すのが、釣り糸３２の他端で、この他端から釣り糸３２は解かれる。【００１８】
平板１８、２０が所定の間隔をおいて重なり合うように連結体２２が折り曲げられる。この折り曲げた状態で、図１及び図２に示すように、連結体２２が端壁１０側に位置するようにケース２内に収容されている。このとき、平板１８が矩形壁６側に矩形壁６とほぼ接するように位置し、平板２０が矩形壁８側に矩形壁６と接するように位置している。また、この収容状態において、舌片２８、３０がほぼ接するように、円柱状部２４、２６の高さ寸法が設定されている。【００１９】
平板１８の両長手縁には、それぞれ第１の側壁、例えば長方形状の側壁３４、３６が平板１８から外方に突出するように平板１８と一体に形成されている。同様に平板２０の両長手縁には、それぞれ第２の側壁、例えば長方形状の側壁３８、４０が平板２０から外方に突出するように平板２０と一体に形成されている。側壁３４、３６、３８、４０は、同一の大きさである。これら側壁３４、３６、３８、４０は、図１及び図２に示すように、平板１８、２０に対してほぼ直角をなすように平板１８、２０の内側方向（円柱状部２４、２６が設けられている面方向）に折り曲げられた上で、平板１８、２０が重なるように連結体２２が折り曲げられ、ケース２内に収容されている。この収容状態で、側壁３４、３８が互いに接するように且つ側壁３６、４０が互いに接するように、その高さ寸法が設定されている。また、この収容状態において、側壁３４、３８がケース２の側壁１４に接し、側壁３６、４０がケース２の側壁１６に接している。【００２０】
平板１８に対して側壁３４、３６がほぼ直角をなす状態において、平板１８側にある側壁３４、３６の面には、複数の第１の突部の一部として三角柱４２、４４が形成されている。これら三角柱４２、４４は、連結体２２側から円柱状部２４、２６付近まで一列に形成されている。これら三角柱４２、４４は、その先端部が鋭角に形成され、どちらも連結体２２側を向いており、側壁３４、３６からの突出量は、いずれも同一である。三角柱４２、４４が形成されている側壁３４、３６の面の平板１８の端部（連結体２２と反対側の端部）側には、残りの第１の突出部として、大型の三角柱４６、４８が形成されている。これら三角柱４６、４８も、先端部が鋭角に形成され、どちらも平板１８の端部側を向いている。これら三角柱４６、４８の側壁３４、３６からの突出量は、三角柱４２、４４の突出量よりも多くされている。【００２１】
平板２０に対して側壁３８、４０がほぼ直角をなす状態において、平板２０側にある側壁３８、４０の面に、複数の第２の突部の一部として三角柱５０、５２が一列に形成されている。これら三角柱５０、５２は、その先端が三角柱４２、４４と反対側を向いている以外、三角柱４６、４８と同一に構成されている。また、第２の突出部として、大型の三角柱５４、５６が、平板２０の端部側に設けられている。これら三角柱５４、５６は、その先端が三角柱４６、４８と逆を向いている以外、三角柱４６、４８と同一である。【００２２】
また、平板１８における円柱状部２４と平板１８の端部との間には、区画壁５８が形成され、同様に平板２０における円柱状部２６と平板２０の端部との間にも、区画壁６０が形成されている。図２に示すように平板１８、２０を重ねた状態においてこれら区画壁５８、６０は同じ位置に位置し、この両者の間を通って、釣り糸３２が孔１３から引き出される。また、図３に示すように側壁３６の外縁には、仕切り部材６２が折り曲げ可能に形成され、側壁３８の外縁にも仕切り部材６４が折り曲げ可能に形成されている。【００２３】
図３及び図４に示す展開状態において、釣り糸３２が円柱状部２４、２６間に８の字状に巻かれる。釣り糸３２は、何重にも巻かれており、図１に破線で示すように、それぞれのループ部分３２ａ、３２ｂがかなりの厚さを有するものとなる。側壁３４、３６、３８、４０が平板１８、２０に対して直角となるようにこれらを折り曲げる。仕切り部材６２が平板１８の上側に来るように仕切り部材６２を折り曲げ、仕切り部材６４が平板２０の上側に来るように仕切り部材６４を折り曲げる。平板１８、２０が重なるように連結体２６の中央を折り曲げる。この連結体２６が端壁１０側に位置するように、ケース２内に収容されて、図１及び図２に示すように糸収容体が完成する。なお、糸巻き４も透明な合成樹脂製である。上述したようにケース２も透明な合成樹脂製であるので、ケース２を透過した光は、三角柱４２、４４、４６、４８、５０、５２、５４、５６で反射される。これによって、この糸収容体は、装飾効果も発揮する。【００２４】
このように構成された糸収容体では、図１に示すように、釣り糸３２のループ部分の３２ｂの外側部分に三角柱５０、５２が接触し、また突出量が多い三角柱５４、５６が、ループ部分３２ｂにおける区画壁６０近傍の最も湾曲の大きい部分に接触する。ループ部分３２ａにも、同様に三角柱４２、４４、４６、４８が接触する。これによって、ループ部分の移動が拘束され、この糸収容体を搬送する際に、振動を受けても、釣り糸３２のループ部分３２ａ、３２ｂが蓋１２側に移動することがない。また、仕切り部材６２、６４によって、２つのループ部分３２ａ、３２ｂの糸が絡み合うことも防止される。また、舌片２８、３０は、ループ部分３２ａ、３２ｂが円柱状部２４、２６から抜けることを防止している。【００２５】
第２の実施形態の糸収容体に使用する糸巻き４ａの展開状態を図７及び図８に示す。第１の実施形態の糸収容体の糸巻き４では、突出量が多い三角柱４６、４８、５４、５６を側壁３４、３６、３８、４０に１つずつ設けたが、第２の実施形態では、これら三角柱４６、４８、５４、５６に代えて、各側壁３４、３６、３８、４０に複数の突出量の異なる複数の三角柱４６ａ、４８ａ、５４ａ、５６ａが設けられている。三角柱４６ａ、４８ａ、５４ａ、５６ａは、その幅寸法（平板１８、２０の長手方向の寸法）は、三角柱４２、４４、５０、５２とほぼ同様であるが、突出量が平板１８、２０の端部側に向かうに従って徐々に多くなるように形成されている。他の構成は、第１の実施形態の糸収容体と同一であり、同一部分には同一符号を付して、その説明を省略する。このように突出力の多い三角柱４６ａ、４８ａ、５４ａ、５６ａがループ部分３２ａ、３２ｂの最も湾曲している部分に多数接触しているので、ループ分３２ａ、３２ｂの移動をより拘束する。【００２６】
図９乃至図１２に第３の実施形態の糸収容体を示す。この糸収容体では、図１１及び図１２に示すように、糸巻き４ｂには、側壁３４、３６、３８、４０、三角柱４２、４４、４６、４８、５０、５２、５４、５６、仕切り部材６２、６４が設けられていない。その代わりに、ケース２の側壁１４に、三角柱４２、５０、４６、５４が、側壁３６に三角柱４４、５２、４８、５６が設けられている。側壁１４では、三角柱４２、４６が一列をなして、平板１８に近い位置に設けられ、かつ三角柱５０、５４が一列をなして、平板２０に近い位置に設けられている。側壁１６では、三角柱４４、４８が一列をなして平板１８に近い位置に設けられ、三角柱５２、５６が一列をなして、平板２０に近い位置に設けられている。このようにケースに三角柱４２、４４、４６、４８、５０、５２、５４、５６を設けてあるので、糸巻き４ｂの構造を簡略化することができる。【００２７】
図１３及び図１４に第４の実施形態の糸収容体を示す。この糸収容体は、第３の実施形態において、三角柱４６、４８、５４、５６を、第２の実施形態における三角柱４６ａ、４８ａ、５４ａ、５６ａに置換したものである。他の構成は、第３の実施形態と同一である。同一部分には、同一符号を付して、説明を省略する。【００２８】
上記の各実施形態では、糸巻き４、４ａは、円柱状部２４、２６の先端にのみ舌片２８、３０を設けたものを示したが、舌片２８、３０を、それぞれ連結体２２まで延長して、その延長端を連結体２２に固定することもできる。その場合、延長された部分は、連結体２２に近づくにつれて、その幅が細くなるものとすることが望ましい。上記の各実施形態では、第１及び第２の突部として、三角柱４２、４４、４６、４８、５０、５２、５４、５６を設けたが、これに限ったものではなく、例えば先端が鋭角でない四角柱状のものや円柱状のものを使用することもできる。上記の各実施形態では、突出量が多い三角柱４６、４８、５４、５６は、区画壁５８、６０の近傍に設けたが、これに加えて連結体２２の近傍にも突出量の多い三角柱４６、４８、５４、５６を設けることもできる。また、第１の実施形態では、糸巻き４、４ａの側壁３４、３６、３８、４０に三角柱４６、４８、５０、５２、５４、５６を設けたが、例えば側壁３４に三角柱４２、４６を、側壁４０に三角柱５２、５６を設け、側壁３６、３８に三角柱を設けないようにすることもできるし、逆に、側壁３６に三角柱４４、４８を、側壁３８に三角柱５０、５４を設け、側壁３４、４０に三角柱を設けないようにすることもできる。第２の実施形態においても同様である。また、第３の実施形態においても、ケース２の側壁１４に三角柱４２、４６を設け、側壁１６に三角柱５２、５６を設けるか、逆に側壁１４に三角柱三角柱５０、５４を設け、側壁１６に三角柱４４、４８を設けるようにすることもできる。第４の実施形態においても同様である。上記の各実施形態では、第１及び第２の係合部として円柱状部２４、２６を使用したが、これに限ったものではなく、釣り糸３２のループ部分３２ａ、３２ｂが係合するものであれば、例えば角柱状のものを使用することもできる。上記の各実施形態では、糸として釣り糸３２を使用したが、これに限ったものではなく、他の糸、例えば手術用の糸を使用することもできる。
【図１】
2012029138.tif 000003
【図２】
2012029138.tif 000004
【図３】
2012029138.tif 000005
【図４】
2012029138.tif 000006
【図５】
2012029138.tif 000007
【図６】
2012029138.tif 000008
【図７】
2012029138.tif 000009
【図８】
2012029138.tif 000010
【図９】
2012029138.tif 000011
【図１０】
2012029138.tif 000012
【図１１】
2012029138.tif 000013
【図１２】
2012029138.tif 000014
【図１３】
2012029138.tif 000015
【図１４】
2012029138.tif 000016
【国際調査報告】
2012029138.tif 000017
2012029138.tif 000018